(57)【要約】【課題】  テキスト編集に関する使い勝手の向上を図る。【解決手段】  接続端子を有する電子機器の一方の面に接する保持受部と、電子機器の一方の面と反対側の他方の面に接して保持受部とともに電子機器を挟んで保持する押さえ部と、保持受け部と押さえ部の間に設けられ接続端子が接続されるコネクターと、電子機器に対して少なくともテキスト情報の入力が可能な操作キーとを備えた。  これにより、テキストデーターの入力（編集）に際して、パーソナルコンピューター等の情報処理装置と電子機器をケーブルで接続する作業を行う必要がなく、テキストデーターの入力時の作業が簡単であり、良好な使い勝手を確保することができる。【選択図】        図１７
2014056387.tif 000002
【特許請求の範囲】
【請求項１】
接続端子を有する電子機器の一方の面に接する保持受部と、
前記電子機器の前記一方の面と反対側の他方の面に接して前記保持受部とともに前記電子機器を挟んで保持する押さえ部と、
前記保持受け部と前記押さえ部の間に設けられ前記接続端子が接続されるコネクターと、
前記電子機器に対して少なくともテキスト情報の入力が可能な操作キーとを備えた
テキスト編集装置。
【請求項２】
前記押さえ部が前記保持受部に離接する方向へ回動可能とされ、
前記押さえ部を前記保持受部に近付く方向へ付勢する付勢バネが設けられた
請求項１に記載のテキスト編集装置。
【請求項３】
前記コネクターが前記保持受部と前記押さえ部の並び方向へ回動可能とされた
請求項２に記載のテキスト編集装置。
【請求項４】
前記電子機器に操作部が設けられ、
前記電子機器は前記保持受部と前記押さえ部によって保持された状態において前記操作キーの少なくとも一部が前記保持受部と前記押さえ部の間に位置されて遮蔽され、
前記操作キーによって、前記遮蔽される操作部に対する操作により実行される機能と同じ機能を実行することが可能とされた
請求項１に記載のテキスト編集装置。
【請求項５】
前記遮蔽される操作部の操作により実行される機能と同じ機能を実行する前記操作キーが、前記遮蔽される操作部と同じ形状に形成された
請求項４に記載のテキスト編集装置。
【請求項６】
前記保持受部又は前記押さえ部の少なくとも一方に前記押さえ部側又は前記保持受部側へ突出され前記電子機器に接する突部が設けられた
請求項１に記載のテキスト編集装置。
【請求項７】
前記保持受部と前記押さえ部が対向する板状に形成された
請求項１に記載のテキスト編集装置。
【請求項８】
前記接続端子が前記コネクターに接続されたときに前記電子機器から電源が供給されるようにした
請求項１に記載のテキスト編集装置。
【請求項９】
前記押さえ部における前記突部に対向する位置に前記電子機器に接するクッションが取り付けられた
請求項６に記載のテキスト編集装置。
【発明の詳細な説明】
【技術分野】
【０００１】
本技術はテキスト編集装置についての技術分野に関する。詳しくは、電子機器の接続端子にコネクターが接続された状態において電子機器を保持受部と押さえ部によって挟んで保持してテキスト編集に関する使い勝手の向上を図る技術分野に関する。
【背景技術】
【０００２】
近年、電子機器として、例えば、インターネット等を通じて所望の楽曲や書籍の内容等をダウンロードすることにより音楽の再生や読書を行うことが可能な音楽再生装置や電子書籍等の携帯情報端末が普及している。また、携帯情報端末には携帯電話等の主に通信装置として機能するもの等も存在する。
【０００３】
このような電子機器、例えば、音楽再生装置においては、ユーザーによってファイルに保存された各楽曲に曲名や歌手名等のテキストデーターの入力が行われる場合がある。
【０００４】
上記のようなテキストデーターの入力は、一般に、携帯情報端末等の電子機器とパーソナルコンピューター等の情報処理装置とをケーブル等により接続して情報処理装置に対する操作によって行われたり、情報処理装置から携帯情報端末への無線通信によって行われている（例えば、特許文献１参照）。
【０００５】
【特許文献１】特開２００５−１２１８１５号公報
【発明の開示】
【発明が解決しようとする課題】
【０００６】
ところが、特許文献１に記載されたテキストデーターの入力に際しては、パーソナルコンピューター等の情報処理装置と携帯情報端末をケーブルで接続する作業や情報処理装置と携帯情報端末を無線通信する設定を行う必要があり、テキストデーターの入力時の作業が面倒であり、良好な使い勝手を確保することができないと言う不具合がある。
【０００７】
また、パーソナルコンピューター等の情報処理装置と携帯情報端末がそれぞれ独立して存在するため、テキストデーターの入力時に両者のそれぞれの配置空間や配置スペースが必要になり、大きな作業空間や作業スペースを要し、やはり使い勝手が低下してしまう。
【０００８】
そこで、本技術テキスト編集装置は、上記した問題点を克服し、テキスト編集に関する使い勝手の向上を図ることを課題とする。
【課題を解決するための手段】
【０００９】
第１に、テキスト編集装置は、上記した課題を解決するために、接続端子を有する電子機器の一方の面に接する保持受部と、前記電子機器の前記一方の面と反対側の他方の面に接して前記保持受部とともに前記電子機器を挟んで保持する押さえ部と、前記保持受け部と前記押さえ部の間に設けられ前記接続端子が接続されるコネクターと、前記電子機器に対して少なくともテキスト情報の入力が可能な操作キーとを備えたものである。
【００１０】
従って、テキスト編集装置にあっては、電子機器が保持受部と押さえ部によって保持され接続端子がコネクターに接続された状態において電子機器に対するテキスト編集が行われる。
【００１１】
第２に、上記したテキスト編集装置においては、前記押さえ部が前記保持受部に離接する方向へ回動可能とされ、前記押さえ部を前記保持受部に近付く方向へ付勢する付勢バネが設けられることが望ましい。
【００１２】
押さえ部が保持受部に離接する方向へ回動可能とされ、押さえ部を保持受部に近付く方向へ付勢する付勢バネが設けられることにより、厚みの相違に拘わらず電子機器に押さえ部が接する。
【００１３】
第３に、上記したテキスト編集装置においては、前記コネクターが前記保持受部と前記押さえ部の並び方向へ回動可能とされることが望ましい。
【００１４】
コネクターが保持受部と押さえ部の並び方向へ回動可能とされることにより、接続端子のコネクターへの接続時にコネクター及び電子機器に不必要な負荷が付与されない。
【００１５】
第４に、上記したテキスト編集装置においては、前記電子機器に操作部が設けられ、前記電子機器は前記保持受部と前記押さえ部によって保持された状態において前記操作キーの少なくとも一部が前記保持受部と前記押さえ部の間に位置されて遮蔽され、前記操作キーによって、前記遮蔽される操作部に対する操作により実行される機能と同じ機能を実行することが可能とされることが望ましい。
【００１６】
操作キーによって、遮蔽される操作部に対する操作により実行される機能と同じ機能を実行することが可能とされることにより、電子機器がテキスト編集装置に装着された場合においても、電子機器の機能性の低下を来たすことがない。
【００１７】
第５に、上記したテキスト編集装置においては、前記遮蔽される操作部の操作により実行される機能と同じ機能を実行する前記操作キーが、前記遮蔽される操作部と同じ形状に形成されることが望ましい。
【００１８】
遮蔽される操作部の操作により実行される機能と同じ機能を実行する操作キーが、遮蔽される操作部と同じ形状に形成されることにより、電子機器がテキスト編集装置に装着された場合においても、遮蔽される操作部と同じ形状の操作キーに対する操作よって遮蔽される操作部の操作により実行される機能と同じ機能が実行される。
【００１９】
第６に、上記したテキスト編集装置においては、前記保持受部又は前記押さえ部の少なくとも一方に前記押さえ部側又は前記保持受部側へ突出され前記電子機器に接する突部が設けられることが望ましい。
【００２０】
保持受部又は押さえ部の少なくとも一方に押さえ部側又は保持受部側へ突出され電子機器に接する突部が設けられることにより、突部によって電子機器が所定の姿勢に保持され、電子機器がテキスト編集装置に応じた適正な向きに保持される。
【００２１】
第７に、上記したテキスト編集装置においては、前記保持受部と前記押さえ部が対向する板状に形成されることが望ましい。
【００２２】
保持受部と押さえ部が対向する板状に形成されることにより、保持受部と押さえ部の間の空間の開口方向が多くなる。
【００２３】
第８に、上記したテキスト編集装置においては、前記接続端子が前記コネクターに接続されたときに前記電子機器から電源が供給されるようにすることが望ましい。
【００２４】
接続端子がコネクターに接続されたときに電子機器から電源が供給されるようにすることにより、テキスト編集装置において電源釦を設けたり電源の投入を行うための操作を行う必要がない。
【００２５】
第９に、上記したテキスト編集装置においては、前記押さえ部における前記突部に対向する位置に前記電子機器に接するクッションが取り付けられることが望ましい。
【００２６】
押さえ部における突部に対向する位置に電子機器に接するクッションが取り付けられることにより、電子機器が保持受部と押さえ部によって保持され接続端子がコネクターに接続された状態において、電子機器の互いに反対側の面に突部とクッションが接する。
【発明の効果】
【００２７】
本技術テキスト編集装置は、接続端子を有する電子機器の一方の面に接する保持受部と、前記電子機器の前記一方の面と反対側の他方の面に接して前記保持受部とともに前記電子機器を挟んで保持する押さえ部と、前記保持受け部と前記押さえ部の間に設けられ前記接続端子が接続されるコネクターと、前記電子機器に対して少なくともテキスト情報の入力が可能な操作キーとを備えている。
【００２８】
従って、テキストデーターの入力（編集）に際して、パーソナルコンピューター等の情報処理装置と電子機器をケーブルで接続する作業や情報処理装置と電子機器を無線通信する設定を行う必要がなく、テキストデーターの入力時の作業が簡単であり、良好な使い勝手を確保することができる。
【００２９】
また、テキスト編集装置に電子機器が接続された状態で保持されるため、テキスト編集装置と電子機器がそれぞれ独立して存在することがなく、テキストデーターの入力時に両者のそれぞれの専用の配置空間や配置スペースが不要であり、大きな作業空間や作業スペースを必要とせず、一層の使い勝手の向上を図ることができる。
【００３０】
請求項２に記載した技術にあっては、前記押さえ部が前記保持受部に離接する方向へ回動可能とされ、前記押さえ部を前記保持受部に近付く方向へ付勢する付勢バネが設けられている。
【００３１】
従って、厚みの相違に拘わらず電子機器を安定した状態で保持することができる。
【００３２】
請求項３に記載した技術にあっては、前記コネクターが前記保持受部と前記押さえ部の並び方向へ回動可能とされている。
【００３３】
従って、接続端子のコネクターへの接続時にコネクター及び電子機器に不必要な負荷が付与されることがなく、コネクターと接続端子の良好な接続状態が確保され、電子機器の保持状態の安定化を図ることができる。
【００３４】
請求項４に記載した技術にあっては、前記電子機器に操作部が設けられ、前記電子機器は前記保持受部と前記押さえ部によって保持された状態において前記操作キーの少なくとも一部が前記保持受部と前記押さえ部の間に位置されて遮蔽され、前記操作キーによって、前記遮蔽される操作部に対する操作により実行される機能と同じ機能を実行することが可能とされている。
【００３５】
従って、電子機器の機能性の低下を来たすことなくテキスト編集装置による電子機器に対するテキスト編集を行うことができる。
【００３６】
請求項５に記載した技術にあっては、前記遮蔽される操作部の操作により実行される機能と同じ機能を実行する前記操作キーが、前記遮蔽される操作部と同じ形状に形成されている。
【００３７】
従って、電子機器がテキスト編集装置に装着された場合においても、電子機器の機能性の低下を来たすことなく良好な操作性を確保することができる。
【００３８】
請求項６に記載した技術にあっては、前記保持受部又は前記押さえ部の少なくとも一方に前記押さえ部側又は前記保持受部側へ突出され前記電子機器に接する突部が設けられている。
【００３９】
従って、突部によって電子機器が所定の姿勢に保持されるため、電子機器をテキスト編集装置に応じた適正な向きに保持することが可能であり、テキスト編集に関する使い勝手の向上を図ることができる。
【００４０】
請求項７に記載した技術にあっては、前記保持受部と前記押さえ部が対向する板状に形成されている。
【００４１】
従って、保持受部と押さえ部の間の空間の開口方向が多く、電子機器の大きさに拘わらず電子機器を保持受部と押さえ部の間に挿入して接続端子をコネクターに接続することができ、テキスト編集装置の汎用性の向上を図ることができる。
【００４２】
請求項８に記載した技術にあっては、前記接続端子が前記コネクターに接続されたときに前記電子機器から電源が供給されるようにしている。
【００４３】
従って、テキスト編集装置において電源釦を設けたり電源の投入を行うための操作を行う必要がなく、テキスト編集装置の小型化を図ることができると共に電子機器に対する迅速なテキスト編集作業を行うことができる。
【００４４】
請求項９に記載した技術にあっては、前記押さえ部における前記突部に対向する位置に前記電子機器に接するクッションが取り付けられている。
【００４５】
従って、クッションによって電子機器の傷付きや損傷を防止することができると共に保持受部と押さえ部によって保持された状態において電子機器のガタ付きを防止することができる。
【発明を実施するための最良の形態】
【００４６】
以下に、本技術テキスト編集装置を実施するための最良の形態を添付図面に従って説明する。
【００４７】
以下に示した最良の形態は、本技術テキスト編集装置を、音楽の再生等が可能な携帯情報端末（電子機器）に対するテキスト編集を行うテキスト編集装置に適用したものである。
【００４８】
但し、本技術の適用範囲は、音楽の再生等が可能な携帯情報端末に対するテキスト編集を行うテキスト編集装置に限られることはない。本技術テキスト編集装置は、少なくともテキストの入力が可能であり外部接続用の接続端子を有する各種の電子機器に対するテキスト編集を行う各種のテキスト編集装置に広く適用することができる。
【００４９】
尚、テキスト編集装置には電子機器が着脱され、着脱された電子機器がテキスト編集装置の二つの部分によって挟まれて保持される構成とされているが、以下の説明にあっては、電子機器が挟まれる方向を前後方向、電子機器のテキスト編集装置に対する着脱方向を上下方向として前後上下左右の方向を示すものとする。
【００５０】
但し、以下に示す前後上下左右の方向は説明の便宜上のものであり、本技術の実施に関しては、これらの方向に限定されることはない。
【００５１】
［テキスト編集装置の構成］
先ず、テキスト編集装置１の構成について説明する（図１乃至図１２参照）。
【００５２】
テキスト編集装置１は筐体２と筐体２に対して回動可能とされた押さえ部３とを有している（図１乃至図８参照）。
【００５３】
筐体２はフロントパネル４とキャビネット５とリアパネル６とカバーパネル７を有している。
【００５４】
フロントパネル４は、下端部を除く部分が上下に長い略矩形状の前面部８として形成され、下端部が下方へ行くに従って後方へ変位するように曲面状に屈曲された屈曲部９として形成されている。前面部８には、上側に第１の配置孔８ａ、８ａ、・・・が形成され、第１の配置孔８ａ、８ａ、・・・の下側に複数の第２の配置孔８ｂ、８ｂ、・・・が縦横に並んで形成されている（図７及び図８参照）。第１の配置孔８ａ、８ａ、・・・は、上下に位置され、上側に大きな形状の第１の配置孔８ａが位置され、下側に左右に等間隔に離隔して複数の第１の配置孔８ａ、８ａ、・・・が位置されている。
【００５５】
キャビネット５はベース部１０と張出部１１、１１と結合用突部１２、１２を有している。
【００５６】
ベース部１０は前後方向を向く略板状の平板部１０ａと平板部１０ａの左右両側縁から後方へ突出された側板部１０ｂ、１０ｂと平板部１０ａの上端部から後方へ突出された上板部１０ｃとを有している。ベース部１０には平板部１０ａと側板部１０ｂ、１０ｂと上板部１０ｃによって囲まれた配置用凹部１０ｄが形成され、配置用凹部１０ｄは後方に開口されている。
【００５７】
ベース部１０の下端部にはバネ連結部１０ｅ、１０ｅが左右に離隔して設けられている。ベース部１０の後端部における上端寄りの位置には動作用切欠１０ｆ、１０ｆが左右に離隔して形成されている。ベース部１０の上端部には上方及び前方に開口された端子配置凹部１０ｇが形成されている。
【００５８】
側板部１０ｂ、１０ｂの上端寄りの位置にはそれぞれ支点孔１０ｈ、１０ｈが形成されている。
【００５９】
張出部１１、１１はそれぞれベース部１０の左右両側部における外周部の一部を除いた部分から側方へ突出され、上方に開口された略Ｕ字状に形成されている。
【００６０】
リアパネル６は前後方向を向く平板状の平面部１３と平面部１３の下端に連続され下方へ行くに従って前方へ変位するように曲面状に屈曲された屈曲部１４とから成る。リアパネル６には平面部１３の下端部から屈曲部１４に亘る部分にレバー配置孔６ａが形成されている。
【００６１】
カバーパネル７は前後方向を向く略平板状に形成されたカバー部１５とカバー部１５の上端部から後方へ突出された突部１６とを有している。カバー部１５の下端部には後方へ突出された遮蔽部１５ａが設けられている。
【００６２】
カバーパネル７は下端部がキャビネット５の結合用突部１２、１２にネジ止め等によって後方から取り付けられ、フロントパネル４の前面部８における略上半部の後側に位置された状態で前面部８に結合される。カバーパネル７が前面部８に結合された状態においては、前面部８とキャビネット５及びカバーパネル７との間に空間が形成される。
【００６３】
カバーパネル７が前面部８に結合されることにより、カバーパネル７と前面部８の略上半部とによって保持受部１７が構成される（図１乃至図４参照）。保持受部１７はキャビネット５のベース部１０より上側に位置される。
【００６４】
押さえ部３は化粧パネル１８とベース板１９と操作レバー２０が結合されて成る。
【００６５】
化粧パネル１８は略矩形の板状に形成され、後方へ凸となるように緩やかに湾曲されている（図７及び図８参照）。
【００６６】
ベース板１９は結合面部２１と連結部２２と取付面部２３とから成る。
【００６７】
結合面部２１は略矩形の板状に形成され、後方へ凸となるように緩やかに湾曲されている。結合面部２１の上端部における前面には左右に延びるクッション２４が貼り付けられている。
【００６８】
連結部２２は結合面部２１から下方へ突出された突面部２２ａと突面部２２ａの左右両側縁からそれぞれ前方へ突出された被支持面部２２ｂ、２２ｂとから成り、突面部２２ａが結合面部２１の左右両端部を除く部分に連続されている。
【００６９】
被支持面部２２ｂ、２２ｂの上端部における前端部にはそれぞれ被支持孔２２ｃ、２２ｃが形成されている。
【００７０】
取付面部２３は連結部２２の突面部２２ａにおける下端に連続されている。
【００７１】
ベース板１９の結合面部２１には化粧パネル１８が後方から接着等により取り付けられる。
【００７２】
操作レバー２０はベース板１９の取付面部２３に後方から接着等により取り付けられる。
【００７３】
キャビネット５のベース部１０に形成された配置用凹部１０ｄには付勢バネ２５が挿入されて配置される（図７乃至図９参照）。付勢バネ２５は左右に離隔して位置されたコイル部２５ａ、２５ａとコイル部２５ａ、２５ａを連結する押し当て部２５ｂとコイル部２５ａ、２５ａからそれぞれ突出された腕部２５ｃ、２５ｃとから成る。付勢バネ２５は腕部２５ｃ、２５ｃの先端部がそれぞれバネ連結部１０ｅ、１０ｅに連結されて配置用凹部１０ｄに配置され、押し当て部２５ｂが腕部２５ｃ、２５ｃの後方に位置される。
【００７４】
押さえ部３は連結部２２の被支持面部２２ｂ、２２ｂがキャビネット５の配置用凹部１０ｄに後方から挿入される。配置用凹部１０ｄに被支持面部２２ｂ、２２ｂが挿入された状態においては、被支持孔２２ｃ、２２ｃがベース部１０の支点孔１０ｈ、１０ｈに一致される。支点孔１０ｈ、１０ｈにはそれぞれ結合ピン２６、２６が挿通され、結合ピン２６、２６はそれぞれ被支持孔２２ｃ、２２ｃに結合される。従って、押さえ部３は支点孔１０ｈ、１０ｈを支点として筐体２に回動自在に支持される。
【００７５】
押さえ部３が筐体２に支持された状態においては、リアパネル６がキャビネット５のベース部１０に接着やネジ止め等によって後方から取り付けられる。リアパネル６がベース部１０に取り付けられた状態においては、キャビネット５の屈曲部９の先端部とリアパネル６の屈曲部１４の先端部とが突き合わされ、筐体２と押さえ部３によって略Ｕ字状の形状が構成される。
【００７６】
押さえ部３が筐体２に支持された状態において、操作レバー２０がリアパネル６のレバー配置孔６ａに位置される。
【００７７】
押さえ部３が筐体２に支持された状態においては、連結部２２の突面部２２ａに付勢バネ２５の押し当て部２５ｂが前方から押し付けられる。従って、押さえ部３は操作レバー２０と取付面部２３が略後方へ移動されベース板１９と化粧パネル１８が略前方へ移動される回動方向へ付勢される。
【００７８】
前面部８とキャビネット５及びカバーパネル７との間に形成された空間には、回路基板２７と第１の操作体２８と第２の操作体２９が配置される（図７及び図８参照）。
【００７９】
回路基板２７には所定の回路パターンが形成され、回路パターン上の所定の各位置にスイッチ２７ａ、２７ａ、・・・が設けられている。
【００８０】
第１の操作体２８は操作キー２８ａ、２８ａ、・・・が弾性変形可能な連結部２８ｂ、２８ｂ、・・・によって連結されて成る。操作キー２８ａ、２８ａ、・・・はそれぞれ前面部８の第１の配置孔８ａ、８ａ、・・・に後方から挿入されて配置され、回路基板２７のスイッチ２７ａ、２７ａ、・・・上に位置される。
【００８１】
第２の操作体２９は操作キー２９ａ、２９ａ、・・・が弾性変形可能な連結部２９ｂ、２９ｂ、・・・によって連結されて成る。操作キー２９ａ、２９ａ、・・・はそれぞれ前面部８の第２の配置孔８ａ、８ａ、・・・に後方から挿入されて配置され、回路基板２７のスイッチ２７ａ、２７ａ、・・・上に位置される。
【００８２】
操作キー２８ａ、２８ａ、・・・と操作キー２９ａ、２９ａ、・・・は押圧操作され、押圧操作されたときには連結部２８ｂ、２８ｂ、・・・と連結部２９ｂ、２９ｂ、・・・が弾性変形される。操作キー２８ａ、２８ａ、・・・と操作キー２９ａ、２９ａ、・・・に対する押圧操作が解除されると、連結部２８ｂ、２８ｂ、・・・と連結部２９ｂ、２９ｂ、・・・がそれぞれ弾性復帰され、操作キー２８ａ、２８ａ、・・・と操作キー２９ａ、２９ａ、・・・が押圧操作される前の元の位置に戻る。
【００８３】
操作キー２８ａ、２８ａ、・・・と操作キー２９ａ、２９ａ、・・・に対する押圧操作が行われると、それぞれスイッチ２７ａ、２７ａ、・・・が操作キー２８ａ、２８ａ、・・・と操作キー２９ａ、２９ａ、・・・によって押圧され、操作キー２８ａ、２８ａ、・・・と操作キー２９ａ、２９ａ、・・・の操作に応じた所定の各機能が実行される。
【００８４】
操作キー２８ａ、２８ａ、・・・としては、例えば、後述する電子機器に設けられたメニューを選択する釦、選択したメニューを実行する釦、電子機器に記録された音楽データー（楽曲）を一括してテキスト編集するための釦、電子機器に設けられた元のメニュー画面に戻るための釦、文字入力モードや文字削除モード等の選択を行うための釦等が設けられている。例えば、操作キー２８ａ、２８ａ、・・・により電子機器に記録された音楽の再生を行うことも可能である。
【００８５】
操作キー２９ａ、２９ａ、・・・としては、例えば、電子機器に記録された音楽データー（楽曲）に対して曲名やアーティスト名等を入力・編集するテキスト入力（編集）のための釦、テキスト（文字や記号）間にスペースを設ける釦等が設けられている。例えば、操作キー２９ａ、２９ａ、・・・により、ひらがな、カタカナ、英字、数字等の入力を行うことが可能である。
【００８６】
回路基板２７には図示しない接続ケーブルによって端子ユニット３０が接続されている（図７及び図８参照）。端子ユニット３０は回路基板２７の後面に取り付けられる取付金具３１と取付金具３１に回動自在に支持される端子ホルダー３２と端子ホルダー３２に保持されるコネクター３３とから成る。
【００８７】
取付金具３１は、図１０及び図１１に示すように、上下方向を向くベース面部３４とベース面部３４の左右両側に位置する側面部３５、３５とベース面部３４の後縁から上方へ突出された後面部３６と側面部３５、３５の前縁からそれぞれ外方（側方）へ突出された被取付面部３７、３７とを有している。側面部３５、３５の後端部には支持孔３５ａ、３５ａが形成されている。
【００８８】
端子ホルダー３２は横長の矩形の枠状に形成され、左右両側面にそれぞれ外方（側方）へ突出された被支持軸３２ａ、３２ａを有している。
【００８９】
コネクター３３は上下方向を向く基板３３ａと基板３３ａの上面に接続された端子３３ｂとから成る。基板３３ａの下面における前後両端部にはそれぞれ弾性部材３８、３９が取り付けられている。弾性部材３８、３９としては、例えば、ゴム材料が用いられている。
【００９０】
端子ユニット３０において、端子ホルダー３２は被支持軸３２ａ、３２ａがそれぞれ支持孔３５ａ、３５ａに挿入され、被支持軸３２ａ、３２ａを支点として取付金具３１に回動自在に支持され、端子ホルダー３２とコネクター３３が一体になって取付金具３１に対して回動可能とされる。
【００９１】
端子ユニット３０は、取付金具３１の被取付面部３７、３７がネジ止め等によって回路基板２７の後面に取り付けられる。端子ユニット３０は取付金具３１がキャビネット５のベース部１０に形成された端子配置凹部１０ｇに挿入されて配置され、端子ホルダー３２の一部とコネクター３３の端子３３ｂがベース部１０から上方へ突出される。
【００９２】
端子ホルダー３２が取付金具３１に支持された状態においては、弾性部材３８、３９がそれぞれ取付金具３１のベース面部３４に上方から接触される。従って、コネクター３３が端子ホルダー３２と一体になって取付金具３１に対して被支持軸３２ａ、３２ａを支点として回動されるときに弾性部材３８又は弾性部材３９が弾性変形され（図１２及び図１３参照）、コネクター３３と端子ホルダー３２に対する回動力が解除されると、弾性部材３８又は弾性部材３９が弾性復帰されることによりコネクター３３と端子ホルダー３２が回動されて元の位置に戻る（図１１参照）。
【００９３】
上記のようにテキスト編集装置１が構成された状態においては、保持受部１７と押さえ部３が前後方向において対向して位置され、保持受部１７と押さえ部３の間に挿入空間４０が形成され、挿入空間４０は上方、左方及び右方に開口されている（図４参照）。
【００９４】
テキスト編集装置１には電子機器１００が接続される（図１４参照）。電子機器１００は、例えば、音楽の再生を行うことが可能な携帯端末装置であり、縦長の扁平な形状に形成され、前面に表示部１０１と操作部１０２が上下に離隔して配置されている。電子機器１００の下面には接続端子１０３が設けられている。
【００９５】
［テキスト編集装置に対する電子機器の装着］
以下に、テキスト編集装置１に対する電子機器１００の着脱動作について説明する（図４、図１５乃至図１８参照）。
【００９６】
テキスト編集装置１において、押さえ部３の操作レバー２０が操作されていないときには、付勢バネ２５の付勢力によって結合面部２１が保持受部１７に最も近付いた位置に保持されている（図４参照）。
【００９７】
電子機器１００をテキスト編集装置１に装着（接続）するときには、先ず、操作レバー２０を押圧操作して付勢バネ２５の付勢力に反して押さえ部３を回動させ、結合面部２１を保持受部１７から離隔する方向へ移動させる（図１５参照）。従って、挿入空間４０の開口が大きく開いた状態とされる。このとき結合面部２１の下端部と化粧パネル１８の下端部とがキャビネット５のベース部１０に形成された動作用切欠１０ｆ、１０ｆにおいて移動される。従って、ベース部１０と結合面部２１及び化粧パネル１８とが干渉することがなく、押さえ部３の筐体２に対する円滑な回動動作が行われる。
【００９８】
次に、電子機器１００を上方から挿入空間４０に挿入し、電子機器１００の接続端子１０３をコネクター３３に接続する（図１６参照）。
【００９９】
次いで、操作レバー２０の押圧操作を解除する。操作レバー２０の押圧操作を解除すると、付勢バネ２５の付勢力によって結合面部２１が保持受部１７に近付く方向へ回動され、結合面部２１の上端部に取り付けられたクッション２４が電子機器１００に押し付けられる（図１７参照）。クッション２４が電子機器１００に押し付けられると、電子機器１００が保持受部１７の突部１６に押し付けられ、電子機器１００が保持受部１７と押さえ部３に挟まれて保持される。このとき電子機器１００は一方の面（前面）が突部１６に接し他方の面（後面）がクッション２４に接した状態とされる。電子機器１００にはクッション２４が接するため、電子機器１００の傷付きや損傷が防止されると共にガタ付きが防止される。
【０１００】
電子機器１００が保持されるときには、上記したように、電子機器１００が付勢バネ２５によって付勢された押さえ部３に押さえられ、電子機器１００に対して押さえ部３を介して付勢バネ２５による前方への押圧力が付与される。
【０１０１】
テキスト編集装置１にあっては、上記したように、コネクター３３が端子ホルダー３２と一体になって取付金具３１に対して回動可能とされているため、押さえ部３から電子機器１００に対して前方への押圧力が付与されたときに、コネクター３３が回動されて電子機器１００が接続端子１０３を基準として回動されるように移動可能とされる。
【０１０２】
従って、接続端子１０３のコネクター３３への接続時にコネクター３３及び電子機器１００に不必要な負荷が付与されることがなく、コネクター３３と接続端子１０３の良好な接続状態が確保され、電子機器１００の保持状態の安定化を図ることができる。
【０１０３】
また、テキスト編集装置１にあっては、押さえ部３とともに電子機器１００を保持する保持受部１７に突部１６が設けられている。従って、突部１６によって電子機器１００が所定の姿勢（傾き状態）に保持されるため、電子機器１００をテキスト編集装置１に応じた適正な向きに保持することが可能であり、テキスト編集に関する使い勝手の向上を図ることができる。
【０１０４】
尚、上記には、保持受部１７に突部１６が設けられた例を示したが、逆に、押さえ部３に突部が設けられていてもよく、また、保持受部１７と押さえ部３の双方に突部が設けられていてもよい。
【０１０５】
さらに、テキスト編集装置１にあっては、保持受部１７と押さえ部３が何れも板状に形成され、挿入空間４０が上方のみならず左右においても開口されている。
【０１０６】
従って、電子機器１００の横幅の大きさに拘わらず電子機器１００を挿入空間４０に挿入して接続端子１０３をコネクター３３に接続することができ、テキスト編集装置１の汎用性の向上を図ることができる。
【０１０７】
上記のように、接続端子１０３がコネクター３３に接続され電子機器１００がテキスト編集装置１に装着されると、電子機器１００からテキスト編集装置１に電力が供給される。従って、テキスト編集装置１において電源釦を設けたり電源の投入を行うための操作を行う必要がなく、テキスト編集装置１の小型化を図ることができると共に電子機器１００に対する迅速なテキスト編集作業を行うことができる。
【０１０８】
電子機器１００がテキスト編集装置１に装着された状態において、第１の操作体２８の操作キー２８ａ、２８ａ、・・・又は第２の操作体２９の操作キー２９ａ、２９ａ、・・・に対する操作により、電子機器１００に対するテキスト編集等を行うことができる。
【０１０９】
電子機器１００がテキスト編集装置１の保持受部１７と押さえ部３によって保持された状態においては、電子機器１００の操作部１０２がテキスト編集装置１の保持受部１７によって遮蔽され、電子機器１００に対する操作を行うことができなくなる可能性がある。そこで、テキスト編集装置１には、遮蔽される操作部１０２の機能と同様の機能を実行することが可能な第１の操作体２８が設けられ、例えば、第１の操作体２８を操作することにより電子機器１００に記録された音楽の再生を行うことが可能とされている。
【０１１０】
従って、電子機器１００がテキスト編集装置１に装着された場合においても、電子機器１００の機能性の低下を来たすことなくテキスト編集装置１による電子機器１００に対するテキスト編集を行うことができる。
【０１１１】
また、テキスト編集装置１の第１の操作体２８の少なくとも一部は電子機器１００の操作部１０２と同じ形状に形成されている。
【０１１２】
従って、電子機器１００がテキスト編集装置１に装着された場合においても、電子機器１００の機能性の低下を来たすことなく良好な操作性を確保することができる。
【０１１３】
電子機器１００のテキスト編集装置１からの取り外しは、先ず、操作レバー２０を押圧操作して付勢バネ２５の付勢力に反して押さえ部３を回動させ、電子機器１００を挿入空間４０から引き抜いて接続端子１０１のコネクター３３に対する接続状態を解除することにより行うことができる。
【０１１４】
電子機器１００を挿入空間４０から引き抜いた状態において、操作レバー２０に対する押圧操作を解除することにより、付勢バネ２５の付勢力によって押さえ部３が回動されて再び結合面部２１が保持受部１７に最も近付いた位置に保持される（図４参照）。
【０１１５】
［厚みの異なる電子機器］
上記には、テキスト編集装置１に電子機器１００が保持される例を示したが、例えば、電子機器１００は厚みの薄いタイプであり、テキスト編集装置１によって電子機器１００より厚みの厚い電子機器２００を保持することも可能である（図１８参照）。
【０１１６】
テキスト編集装置１に対する電子機器２００の保持状態は、電子機器１００の場合と同様に、接続端子２０１がコネクター３３に接続された状態で保持受部１７と押さえ部３によって挟まれて保持されるが、電子機器２００は電子機器１００より厚みが厚い分、押さえ部３の位置が異なる。
【０１１７】
また、電子機器１００や電子機器２００には保護カバー３００が取り付けられる場合があり、例えば、電子機器１００、２００に保護カバー３００が取り付けられると、全体の厚みが厚くなるが、この場合においても、押さえ部３が筐体２に対して回動可能とされ付勢バネ２５によって押さえ部３が付勢されているため、保護カバー３００が取り付けられた電子機器１００、２００を保持することが可能である（図１９参照）。
【０１１８】
このようにテキスト編集装置１にあっては、押さえ部３が筐体２に対して回動可能とされ押さえ部３が付勢バネ２５によって付勢されているため、厚みの相違に拘わらず電子機器１００、２００等を安定した状態で保持することができる。
【０１１９】
［テキスト編集装置の内部構成］
次に、テキスト編集装置１の内部構成の一例を説明する（図２０参照）。
【０１２０】
テキスト編集装置１には、プラグ部５０とレギュレータ５１と３ステージバッファ５２とマイクロコンピュータ５３と入力操作部５４が設けられている。プラグ部５０は電子機器１００との電気的な接続を行い、コネクター３３に相当する。
【０１２１】
プラグ部５０には、例えば、４つの端子５０ａ、５０ｂ、５０ｃ、５０ｄが設けられている。端子５０ａには電子機器１００からマイクロコンピュータ５３の動作電源電圧が供給される。動作電源電圧はレギュレータ５１によって所定の電圧レベルに安定化され、マイクロコンピュータ５３に供給される。
【０１２２】
端子５０ｂ、５０ｃはそれぞれデータ端子とされ、電子機器１００との間のデータ通信に用いられる。
【０１２３】
端子５０ｂは、３ステージバッファ５２が設けられていることにより、データの送信／受信端子として機能する。具体的には、３ステージバッファ５２は、その一方の端子がマイクロコンピュータ５３と接続され、他方の端子が端子５０ｂと接続され、マイクロコンピュータ５３からの制御信号ＣＮＴに応じて、データの送出方向が前記一方の端子から前記他方の端子への方向、又は前記他方の端子から前記一方の端子への方向の何れかに切り替えられる。
【０１２４】
端子５０ｃはマイクロコンピュータ５３からのデータ送信専用のデータ端子となる。
【０１２５】
端子５０ｄはグランド端子とされ、グランド（ＧＮＤ）に接地されている。
【０１２６】
入力操作部５４は回路基板２７に設けられたスイッチ２７ａ、２７ａ、・・・に相当し、第１の操作体２８の操作キー２８ａ、２８ａ、・・・及び第２の操作体２９の操作キー２９ａ、２９ａ、・・・に応じてそれぞれ設けられている。入力操作部５４はマイクロコンピュータ５３に接続されている。
【０１２７】
操作キー２８ａ、２８ａ、・・・又は操作キー２９ａ、２９ａ、・・・の何れかが操作されると、操作された操作キー２８ａ又は操作キー２９ａに対応するスイッチ２７ａが導通状態となる。これにより当該操作キー２８ａ又は操作キー２９ａが押圧操作されたことがマイクロコンピュータ５３に通知される。
【０１２８】
マイクロコンピュータ５３は、押圧操作された操作キー２８ａ又は操作キー２９ａに対応する操作情報を電子機器１００に送出する。
【０１２９】
このとき操作情報の送出は、端子５０ｃに対して行われ、又は、制御信号ＣＮＴによって３ステージバッファ５２を制御して端子５０ｂに対して行うことも可能とされる。
【０１３０】
［まとめ］
以上に記載した通り、テキスト編集装置１は、電子機器１００、２００を挟んで保持する保持受部１７及び押さえ部３と、保持受け部１７と押さえ部３の間に設けられたコネクター３３と、電子機器１００、２００に対して文字情報の入力が可能な操作キー２８ａ、２８ａ、・・・、２９ａ、２９ａ、・・・とが設けられている。
【０１３１】
従って、テキストデーターの入力（編集）に際して、パーソナルコンピューター等の情報処理装置と電子機器１００、２００をケーブルで接続する作業や情報処理装置と電子機器１００、２００を無線通信する設定を行う必要がなく、テキストデーターの入力時の作業が簡単であり、良好な使い勝手を確保することができる。
【０１３２】
また、テキスト編集装置１に電子機器１００、２００が接続された状態で保持されるため、テキスト編集装置１と電子機器１００、２００がそれぞれ独立して存在することがなく、テキストデーターの入力時に両者のそれぞれの専用の配置空間や配置スペースが不要であり、大きな作業空間や作業スペースを必要とせず、一層の使い勝手の向上を図ることができる。
【０１３３】
［本技術］
本技術は、以下のような構成にすることができる。
【０１３４】
（１）
接続端子を有する電子機器の一方の面に接する保持受部と、
前記電子機器の前記一方の面と反対側の他方の面に接して前記保持受部とともに前記電子機器を挟んで保持する押さえ部と、
前記保持受け部と前記押さえ部の間に設けられ前記接続端子が接続されるコネクターと、
前記電子機器に対して少なくともテキスト情報の入力が可能な操作キーとを備えた
テキスト編集装置。
【０１３５】
（２）
前記押さえ部が前記保持受部に離接する方向へ回動可能とされ、
前記押さえ部を前記保持受部に近付く方向へ付勢する付勢バネが設けられた
前記（１）に記載のテキスト編集装置。
【０１３６】
（３）
前記コネクターが前記保持受部と前記押さえ部の並び方向へ回動可能とされた
前記（２）に記載のテキスト編集装置。
【０１３７】
（４）
前記電子機器に操作部が設けられ、
前記電子機器は前記保持受部と前記押さえ部によって保持された状態において前記操作キーの少なくとも一部が前記保持受部と前記押さえ部の間に位置されて遮蔽され、
前記操作キーによって、前記遮蔽される操作部に対する操作により実行される機能と同じ機能を実行することが可能とされた
前記（１）から前記（３）の何れかに記載のテキスト編集装置。
【０１３８】
（５）
前記遮蔽される操作部の操作により実行される機能と同じ機能を実行する前記操作キーが、前記遮蔽される操作部と同じ形状に形成された
前記（４）に記載のテキスト編集装置。
【０１３９】
（６）
前記保持受部又は前記押さえ部の少なくとも一方に前記押さえ部側又は前記保持受部側へ突出され前記電子機器に接する突部が設けられた
前記（１）から前記（５）の何れかに記載のテキスト編集装置。
【０１４０】
（７）
前記保持受部と前記押さえ部が対向する板状に形成された
前記（１）から前記（６）の何れかに記載のテキスト編集装置。
【０１４１】
（８）
前記接続端子が前記コネクターに接続されたときに前記電子機器から電源が供給されるようにした
前記（１）から前記（７）の何れかに記載のテキスト編集装置。
【０１４２】
（９）
前記押さえ部における前記突部に対向する位置に前記電子機器に接するクッションが取り付けられた
前記（６）から前記（８）の何れかに記載のテキスト編集装置。
【０１４３】
上記した技術の最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０１４４】
【図１】図２乃至図２０と共に本技術テキスト編集装置を示すものであり、本図は、テキスト編集装置の斜視図である。
【図２】テキスト編集装置の正面図である。
【図３】テキスト編集装置の背面図である。
【図４】テキスト編集装置の側面図である。
【図５】テキスト編集装置の平面図である。
【図６】テキスト編集装置の底面図である。
【図７】テキスト編集装置の分解斜視図である。
【図８】図７とは異なる方向から見た状態で示すテキスト編集装置の分解斜視図である。
【図９】付勢バネが配置された状態を示す側面図である。
【図１０】端子ユニットの拡大分解斜視図である。
【図１１】端子ユニットの概略拡大断面図である。
【図１２】コネクターが回動された状態を示す概略拡大断面図である。
【図１３】図１２とは反対方向にコネクターが回動された状態を示す概略拡大断面図である。
【図１４】テキスト編集装置と電子機器を示す斜視図である。
【図１５】押さえ部が回動されて挿入空間が大きく開放された状態を示す側面図である。
【図１６】電子機器がテキスト編集装置に接続された状態を示す側面図である。
【図１７】押さえ部がテキスト編集装置に保持された状態を示す側面図である。
【図１８】厚みの厚い電子機器がテキスト編集装置に保持された状態を示す側面図である。
【図１９】保護カバーが取り付けられた電子機器がテキスト編集装置に保持された状態を示す側面図である。
【図２０】テキスト編集装置のブロック図である。
【符号の説明】
【０１４５】
１…テキスト編集装置、２…筐体、３…押さえ部、１６…突部、１７…保持受部、２５…付勢バネ、２８ａ…操作キー、２９ａ…操作キー、３３…コネクター、１００…電子機器、１０２…操作部、１０３…接続端子、２００…電子機器２０３…接続端子
【図１】
2014056387.tif 000003
【図２】
2014056387.tif 000004
【図３】
2014056387.tif 000005
【図４】
2014056387.tif 000006
【図５】
2014056387.tif 000007
【図６】
2014056387.tif 000008
【図７】
2014056387.tif 000009
【図８】
2014056387.tif 000010
【図９】
2014056387.tif 000011
【図１０】
2014056387.tif 000012
【図１１】
2014056387.tif 000013
【図１２】
2014056387.tif 000014
【図１３】
2014056387.tif 000015
【図１４】
2014056387.tif 000016
【図１５】
2014056387.tif 000017
【図１６】
2014056387.tif 000018
【図１７】
2014056387.tif 000019
【図１８】
2014056387.tif 000020
【図１９】
2014056387.tif 000021
【図２０】
2014056387.tif 000022